(57)【要約】【課題】シール部材との摺擦に伴って、トナー担持体の表面層が消失することを防止した現像装置およびこれを備えた画像形成装置を提供する。【解決手段】現像装置１２２は、現像ハウジングと、現像ローラー８３と、ローラーギア８３Ｇと、一対のトナーシール８９と、を備える。ローラーギア８３Ｇは、現像ローラー８３の軸方向の一端側に固定され、現像ローラー８３に回転駆動力を伝達する。現像ローラー８３は、スリーブと、コート層８３Ｃとを備える。コート層８３Ｃは、スリーブが鉛直方向に沿って所定の浸漬槽に浸漬されることで形成される。一対のトナーシール８９は、コート層８３Ｃの軸方向の両端部に当接する。現像ローラー８３の浸漬時の下端側が、軸方向においてローラーギア８３Ｇとは反対の他端側となるように、現像ローラー８３が現像ハウジングに装着されている。【選択図】図８
2016004198.tif 000002
【特許請求の範囲】
【請求項１】
内部にトナーを含む現像剤を貯留するハウジングと、
表面に静電潜像が形成される像担持体に対して間隔をおいて配置され、前記ハウジングに軸回りに回転可能に支持され、周面にトナーを担持するトナー担持体と、
前記トナー担持体の軸方向の一端側に固定され、前記トナー担持体に回転駆動力を伝達する駆動伝達部と、
前記トナー担持体の前記周面のうち前記軸方向の両端部に当接するように前記ハウジングに配置され、前記ハウジングから前記現像剤が漏れることを防止する一対のシール部材と、
を有し、
前記トナー担持体は、円筒状の基材と、前記基材上に形成された表面層とを備え、
前記軸方向が鉛直方向に沿うように前記基材が所定の浸漬槽に浸漬される浸漬法によって前記表面層が形成され、
前記トナー担持体の前記浸漬時の下端側が、前記軸方向のうち前記駆動伝達部とは反対の他端側となるように、前記トナー担持体が前記ハウジングに装着されていることを特徴とする現像装置。
【請求項２】
前記駆動伝達部は、前記軸方向に対して所定の角度をもって傾斜したギア歯を備える第１斜歯ギアであって、
正逆回転可能とされ、前記トナー担持体を回転させる回転駆動力を発生する駆動部と、
前記駆動部に連結され、かつ、前記第１斜歯ギアと噛み合うように前記ハウジングに回転可能に支持され、前記第１斜歯ギアに前記回転駆動力を伝達する第２斜歯ギアと、
を更に有し、
前記像担持体上の前記静電潜像が現像される現像動作時に、前記駆動部が正方向に回転され、前記トナー担持体が第１回転方向に回転されることで、前記トナー担持体から前記像担持体に前記トナーが供給され、
前記トナー担持体が前記第１回転方向に回転されると、前記第１斜歯ギアと前記第２斜歯ギアとの噛み合いによって、前記像担持体に向かう方向の押圧力が前記トナー担持体に付与され、
前記駆動部が逆方向に回転され、前記トナー担持体が前記第１回転方向とは反対の第２回転方向に回転されると、前記第１斜歯ギアと前記第２斜歯ギアとの噛み合いによって、前記シール部材に向かう方向の押圧力が前記トナー担持体に付与されることを特徴とする請求項１に記載の現像装置。
【請求項３】
前記トナー担持体に対向して前記ハウジングに回転可能に支持され、周面に前記トナーおよびキャリアからなる現像剤を担持し、前記トナー担持体に前記トナーを供給する現像剤担持体と、
略水平方向に沿って前記現像剤担持体の前記周面に対向して配置され、前記現像剤担持体上の前記現像剤の層厚を規制する層厚規制部材と、
前記現像剤担持体の軸方向の前記一端側に固定され、前記駆動部および前記第２斜歯ギアに連結され、前記現像剤担持体に前記回転駆動力を伝達する入力ギアと、
を有し、
前記第２斜歯ギアは、前記入力ギアを介して前記駆動部に連結され、
前記駆動部から前記入力ギアに回転駆動力が入力されると、前記トナー担持体および前記現像剤担持体が同期して回転され、
前記現像動作時に、前記駆動部が正方向に回転されると、前記現像剤担持体は前記層厚規制部材に対向する領域を下方から上方に向かって回転し、前記駆動部が逆方向に回転されると、前記現像剤担持体は前記層厚規制部材に対向する領域を上方から下方に向かって回転することを特徴とする請求項２に記載の現像装置。
【請求項４】
前記基材は、アルミニウムからなり、
前記トナー担持体は、前記基材の表面に形成された酸化層を更に備え、
前記表面層は前記酸化層の表面に形成されていることを特徴とする請求項１乃至３の何れか１項に記載の現像装置。
【請求項５】
請求項１乃至４の何れか１項に記載の現像装置と、
表面に静電潜像が形成され、前記トナー担持体から前記トナーが供給される前記像担持体と、
を備えることを特徴とする画像形成装置。
【発明の詳細な説明】
【技術分野】
【０００１】
本発明は、現像装置、およびこれを備えた画像形成装置に関する。
【背景技術】
【０００２】
電子写真方式を利用した、複写機、プリンター、ファクシミリ等の画像形成装置では、感光体ドラム上に形成された静電潜像に現像装置がトナーを供給して該静電潜像を現像することにより、感光体ドラム上にトナー像を形成する。現像装置は、ハウジングに回転可能に支持される現像ローラー（トナー担持体）を備える。現像ローラーは、感光体ドラムに所定のギャップをおいて配置され、周面に少なくともトナーを含む現像剤を担持する。特許文献１には、現像ローラーの表面に樹脂層（表面層）が備えられた技術が開示されている。現像ローラーの素管が、予め樹脂材料が溶解された樹脂液中に浸漬されることによって、現像ローラーが製造される浸漬法（ディップ法、ディッピング製法）が開示されている。また、特許文献２には、現像ローラーの端部に当接することで、現像装置から現像剤が漏れることを防止するシール部材が開示されている。
【先行技術文献】
【特許文献】
【０００３】
【特許文献１】特開２００９−３００６７７号公報
【特許文献２】特開２００８−３１０２５３号公報
【発明の概要】
【発明が解決しようとする課題】
【０００４】
上記のような技術では、現像ローラーの回転に伴ってシール部材が現像ローラーの樹脂層と強く摺擦し、樹脂層の摩耗が促進されるという問題があった。
【０００５】
本発明は、上記のような課題を解決するためになされたものであり、シール部材との摺擦に伴って、トナー担持体の表面層が消失することを防止した現像装置およびこれを備えた画像形成装置を提供することを目的とする。
【課題を解決するための手段】
【０００６】
本発明の一局面に係る現像装置は、内部にトナーを含む現像剤を貯留するハウジングと、表面に静電潜像が形成される像担持体に対して間隔をおいて配置され、前記ハウジングに軸回りに回転可能に支持され、周面にトナーを担持するトナー担持体と、前記トナー担持体の軸方向の一端側に固定され、前記トナー担持体に回転駆動力を伝達する駆動伝達部と、前記トナー担持体の前記周面のうち前記軸方向の両端部に当接するように前記ハウジングに配置され、前記ハウジングから前記現像剤が漏れることを防止する一対のシール部材と、を有し、前記トナー担持体は、円筒状の基材と、前記基材上に形成された表面層とを備え、前記軸方向が鉛直方向に沿うように前記基材が所定の浸漬槽に浸漬される浸漬法によって前記表面層が形成され、前記トナー担持体の前記浸漬時の下端側が、前記軸方向のうち前記駆動伝達部とは反対の他端側となるように、前記トナー担持体が前記ハウジングに装着されていることを特徴とする。
【０００７】
本構成によれば、トナー担持体の表面層は浸漬法によって形成される。このため、浸漬時の下端側の表面層の膜厚は部分的に厚くなりやすい。ハウジングに回転可能に支持されたトナー担持体のうち駆動伝達部とは反対側では、回転時の位置が安定しにくい。特に、トナー担持体の回転に伴って、トナー担持体の偏心が大きくなると、表面層とシール部材とが強く摺擦する。このような場合であっても、トナー担持体の浸漬時の下端側が、軸方向のうち駆動伝達部とは反対の他端側となるように、トナー担持体がハウジングに装着される。このため、トナー担持体の他端側では、表面層の膜厚が厚い領域がシール部材に当接する。この結果、トナー担持体の回転に伴って、表面層が消失することが防止される。
【０００８】
上記の構成において、前記駆動伝達部は、前記軸方向に対して所定の角度をもって傾斜したギア歯を備える第１斜歯ギアであって、正逆回転可能とされ、前記トナー担持体を回転させる回転駆動力を発生する駆動部と、前記駆動部に連結され、かつ、前記第１斜歯ギアと噛み合うように前記ハウジングに回転可能に支持され、前記第１斜歯ギアに前記回転駆動力を伝達する第２斜歯ギアと、を更に有し、前記像担持体上の前記静電潜像が現像される現像動作時に、前記駆動部が正方向に回転され、前記トナー担持体が第１回転方向に回転されることで、前記トナー担持体から前記像担持体に前記トナーが供給され、前記トナー担持体が前記第１回転方向に回転されると、前記第１斜歯ギアと前記第２斜歯ギアとの噛み合いによって、前記像担持体に向かう方向の押圧力が前記トナー担持体に付与され、前記駆動部が逆方向に回転され、前記トナー担持体が前記第１回転方向とは反対の第２回転方向に回転されると、前記第１斜歯ギアと前記第２斜歯ギアとの噛み合いによって、前記シール部材に向かう方向の押圧力が前記トナー担持体に付与されるものでもよい。
【０００９】
本構成によれば、現像動作時には、第１斜歯ギアと第２斜歯ギアとの噛み合いによって、像担持体に向かう押圧力がトナー担持体に付与される。このため、像担持体とトナー担持体との間の間隔がより安定して維持される。一方、トナー担持体が第１回転方向とは反対の第２回転方向に回転されると、第１斜歯ギアと第２斜歯ギアとの噛み合いによって、シール部材に向かう押圧力が前記トナー担持体に付与される。この場合、トナー担持体のうち駆動伝達部とは反対側では、表面層がより強くシール部材と摺擦する。このような場合であっても、トナー担持体の他端側では、表面層の膜厚が厚い領域がシール部材に当接するため、表面層の他端側が消失することが防止される。
【００１０】
上記の構成において、前記トナー担持体に対向して前記ハウジングに回転可能に支持され、周面に前記トナーおよびキャリアからなる現像剤を担持し、前記トナー担持体に前記トナーを供給する現像剤担持体と、略水平方向に沿って前記現像剤担持体の前記周面に対向して配置され、前記現像剤担持体上の前記現像剤の層厚を規制する層厚規制部材と、前記現像剤担持体の軸方向の前記一端側に固定され、前記駆動部および前記第２斜歯ギアに連結され、前記現像剤担持体に前記回転駆動力を伝達する入力ギアと、を有し、前記第２斜歯ギアは、前記入力ギアを介して前記駆動部に連結され、前記駆動部から前記入力ギアに回転駆動力が入力されると、前記トナー担持体および前記現像剤担持体が同期して回転され、前記現像動作時に、前記駆動部が正方向に回転されると、前記現像剤担持体は前記層厚規制部材に対向する領域を下方から上方に向かって回転し、前記駆動部が逆方向に回転されると、前記現像剤担持体は前記層厚規制部材に対向する領域を上方から下方に向かって回転してもよい。
【００１１】
本構成によれば、現像動作時に、現像剤担持体は層厚規制部材に対向する領域を下方から上方に向かって回転する。この際、層厚規制部材の上面部に、トナーが堆積する場合がある。一方、駆動部が逆方向に回転されると、現像剤担持体は層厚規制部材に対向する領域を上方から下方に向かって回転する。この際、層厚規制部材に堆積したトナーが現像剤担持体によって回収される。このように、堆積したトナーを回収するために、トナー担持体および現像剤担持体が逆回転される場合であっても、トナー担持体の他端側では、表面層の膜厚が厚い領域がシール部材に当接するため、表面層の他端側が消失することが防止される。
【００１２】
上記の構成において、前記基材は、アルミニウムからなり、前記トナー担持体は、前記基材の表面に形成された酸化層を更に備え、前記表面層は前記酸化層の表面に形成されていることが望ましい。
【００１３】
本構成によれば、アルミニウムからなる基材の上に酸化層が形成されることで、表面層の基材に対する付着力が増大される。この結果、表面層の剥離が抑制される。
【００１４】
本発明の他の局面に係る画像形成装置は、上記の何れか１に記載の現像装置と、表面に静電潜像が形成され、前記トナー担持体から前記トナーが供給される前記像担持体と、を備えることを特徴とする。
【００１５】
本構成によれば、駆動伝達部とは反対側のトナー担持体の他端側では、表面層の膜厚が厚い領域がシール部材に当接する。この結果、トナー担持体の回転に伴って、表面層が消失することが防止される。
【発明の効果】
【００１６】
本発明によれば、シール部材との摺擦に伴って、トナー担持体の表面層が消失することを防止した現像装置およびこれを備えた画像形成装置が提供される。
【図面の簡単な説明】
【００１７】
【図１】本発明の実施形態に係る画像形成装置の内部構造を示す断面図である。
【図２】本発明の実施形態に係る現像装置の断面図である。
【図３】本発明の実施形態に係る感光体ドラムおよび現像ローラーの軸方向の長さの関係を示す模式図（Ａ）、および、現像ローラーの端部の膜厚の様子を示す模式的な断面図（Ｂ）である。
【図４】本発明の実施形態に係る現像ローラーの軸方向の膜厚の分布を示すグラフ（Ａ）、（Ｂ）である。
【図５】本発明の実施形態に係る現像装置において、トナー担持体が正回転される様子を示した模式的な背面図（Ａ）、および、トナー担持体が逆回転される様子を示した模式的な背面図（Ｂ）である。
【図６】本発明の実施形態に係る現像装置において、トナー担持体が正回転される様子を示した模式的な側面図である。
【図７】本発明の実施形態に係る現像装置のシール部材の配置を示す模式的な断面図である。
【図８】本発明の実施形態に係る現像装置のシール部材の配置を示す模式的な上面図である。
【発明を実施するための形態】
【００１８】
以下、図面に基づいて、本発明の実施形態につき詳細に説明する。なお、本発明は、電子写真方式を採用した画像形成装置、例えばコピー機、プリンター、ファクシミリ、これらの機能を備える複合機等に適用することができる。
【００１９】
図１は、本発明の一実施形態に係る画像形成装置１の構造を示す正面断面図である。画像形成装置１は、装置本体１１に、画像形成部１２、定着装置１３、給紙部１４、用紙排出部１５、および原稿読取部１６等を備えて構成されている。
【００２０】
装置本体１１は、下部本体１１１と、この下部本体１１１の上方に対向配置された上部本体１１２と、この上部本体１１２と下部本体１１１との間に介設された連結部１１３とを備えている。連結部１１３は、下部本体１１１と上部本体１１２との間に用紙排出部１５を形成させた状態で両者を互いに連結するための構造物であり、下部本体１１１の左部および後部から立設され、平面視でＬ字状を呈している。上部本体１１２は、連結部１１３の上端部に支持されている。
【００２１】
下部本体１１１には、画像形成部１２、定着装置１３および給紙部１４が内装されているとともに、上部本体１１２には原稿読取部１６とが装着されている。
【００２２】
画像形成部１２は、給紙部１４から給紙された用紙Ｐにトナー像を形成する画像形成動作を実行する。画像形成部１２は、上流側から下流側へ向けて水平に順次配設された、イエロー色のトナーを用いるイエロー用ユニット１２Ｙ、マゼンタ色のトナーを用いるマゼンタ用ユニット１２Ｍ、シアン色のトナーを用いるシアン用ユニット１２Ｃおよびブラック色のトナーを用いるブラック用ユニット１２Ｂｋと、駆動ローラー１２５Ａ等の複数のローラー間に画像形成における副走査方向へ無端走行可能に張架された中間転写ベルト１２５と、中間転写ベルト１２５の外周面に当接する二次転写ローラー１９６と、ベルトクリーニング装置１９８と、を備えている。
【００２３】
画像形成部１２の各色のユニットは、感光体ドラム１２１（像担持体）と、感光体ドラム１２１へトナー（現像剤）を供給する現像装置１２２と、トナーを収容するトナーカートリッジ（不図示）と、帯電装置１２３と、ドラムクリーニング装置１２７と、をそれぞれ一体的に備えている。また、隣接する現像装置１２２の下方には、それぞれの感光体ドラム１２１を露光するための露光装置１２４が水平に配置されている。
【００２４】
感光体ドラム１２１は、円筒形状からなり、軸回りに回転される。感光体ドラム１２１は、その周面に静電潜像が形成されるとともに、前記静電潜像がトナーによって顕在化されるトナー像を担持する。本実施形態では、感光体ドラム１２１は、公知の有機（ＯＰＣ）感光体であり、後記の現像ローラー８３と同様の浸漬法によって表面に電荷発生層、電荷輸送層などが形成されている。
【００２５】
現像装置１２２は、矢印の方向へ回転する感光体ドラム１２１の周面の静電潜像にトナーを供給して当該トナーを積層させ、感光体ドラム１２１の周面に前記画像データに応じたトナー像を形成する。各現像装置１２２には、前記トナーカートリッジからトナーが適宜補給される。
【００２６】
帯電装置１２３は、各感光体ドラム１２１の直下位置にそれぞれ設けられている。帯電装置１２３は、各感光体ドラム１２１の周面を一様に帯電させる。
【００２７】
露光装置１２４は、各帯電装置１２３の下方位置に設けられている。露光装置１２４は、コンピューター等から入力された画像データや原稿読取部１６が取得した画像データに基づく各色に対応したレーザー光を、帯電後の感光体ドラム１２１の周面に照射し、各感光体ドラム１２１の周面に静電潜像を形成する。なお、露光装置１２４は、感光体ドラム１２１上に、所定の潜像電位を形成するため、予め設定された露光光量に応じて、前記レーザー光を照射する。ドラムクリーニング装置１２７は、各感光体ドラム１２１の左方位置に設けられ、感光体ドラム１２１の周面の残留トナーを除去してクリーニングする。
【００２８】
中間転写ベルト１２５は、無端のベルトであって、基層、弾性層、及びコート層から成る積層構造を有する導電性の軟質ベルトである。中間転写ベルト１２５は、画像形成部１２の上方において、略水平方向に配置された複数の張架ローラーに掛け回されている。張架ローラーは、定着装置１３の近傍に配置され中間転写ベルト１２５を回転駆動する駆動ローラー１２５Ａと、駆動ローラー１２５Ａに対して水平方向に所定間隔を置いて配設され従動回転する従動ローラー１２５Ｅと、を含む。中間転写ベルト１２５は、駆動ローラー１２５Ａに回転駆動力が与えられることにより、図１において時計方向に周回駆動される。
【００２９】
二次転写ローラー１９６には、二次転写バイアス印加部（不図示）が電気的に接続されている。二次転写ローラー１９６と駆動ローラー１２５Ａとの間に印加される転写バイアスによって、中間転写ベルト１２５上に形成されたトナー画像は、下方の搬送ローラー対１９２から搬送された用紙Ｐに転写される。ベルトクリーニング装置１９８は、従動ローラー１２５Ｅに対して中間転写ベルト１２５を介して対向配置される。
【００３０】
定着装置１３は、内部に加熱源であるハロゲンランプなどの通電発熱体を備えた加熱ローラー１３２と、加熱ローラー１３２に対向配置された加圧ローラー１３４と、を備えている。定着装置１３は、画像形成部１２で転写された用紙Ｐ上のトナー像に対し、用紙Ｐが加熱ローラー１３２と加圧ローラー１３４との間の定着ニップ部を通過する間に加熱ローラー１３２から熱を与えて定着処理を施す。定着処理の完了したカラー印刷済みの用紙Ｐは、定着装置１３の上部から延設された排紙搬送路１９４を通って装置本体１１の頂部に設けられた排紙トレイ１５１へ向けて排出される。
【００３１】
給紙部１４は、装置本体１１の図１における右側壁に開閉自在に設けられた手差しトレイ１４１と、装置本体１１内における露光装置１２４より下方位置に挿脱可能に装着された給紙カセット１４２とを備えている。給紙カセット１４２は、複数枚の用紙Ｐが積層されてなる用紙束Ｐ１を収容する。給紙カセット１４２の上方には、ピックアップローラー１４３が設けられ、ピックアップローラー１４３は、給紙カセット１４２に収容された用紙束Ｐ１の最上位の用紙Ｐを用紙搬送路１９０へ向けて繰り出す。手差しトレイ１４１は、下部本体１１１の右面の下方位置に設けられた、用紙Ｐを１枚ずつ手差し操作で画像形成部１２へ向けて給紙するためのトレイである。
【００３２】
画像形成部１２の左方位置には、上下方向に延びる用紙搬送路１９０が形成されている。用紙搬送路１９０には、適所に搬送ローラー対１９２が設けられ、搬送ローラー対１９２は、給紙部１４から繰り出された用紙Ｐを、二次転写ローラー１９６を有する二次転写ニップ部へ向けて搬送する。
【００３３】
用紙排出部１５は、下部本体１１１と上部本体１１２との間に形成されている。用紙排出部１５は、下部本体１１１の上面に形成された排紙トレイ１５１を備える。排紙トレイ１５１は、画像形成部１２でトナー像が形成された用紙Ｐが、定着装置１３で定着処理が施された後に排出されるトレイである。
【００３４】
原稿読取部１６は、上部本体１１２の上面開口に装着された、原稿を載置するためのコンタクトガラス１６１と、このコンタクトガラス１６１に載置された原稿を押さえる開閉自在の原稿押さえカバー１６２と、コンタクトガラス１６１に載置された原稿の画像を走査して読み取る走査機構１６３とを備えている。走査機構１６３は、ＣＣＤ（Charge Coupled Device）やＣＭＯＳ（Complementary Metal Oxide Semiconductor）等のイメージセンサを用いて原稿の画像を光学的に読み取り、画像データを生成する。また、装置本体１１は、この画像データから作像画像を生成する画像処理部（不図示）を有する。
【００３５】
＜現像装置の構成＞
続いて、現像装置１２２について詳細に説明する。図２は、現像装置１２２の内部構造を概略的に示す上下および左右方向の断面図である。図３は、本実施形態に係る感光体ドラム１２１および現像ローラー８３の軸方向の長さの関係を示す模式図（Ａ）、および、現像ローラー８３の端部の膜厚の様子を示す模式的な断面図（Ｂ）である。図４は、現像ローラー８３の軸方向の膜厚の分布を示すグラフ（Ａ）、（Ｂ）である。本実施形態における現像装置１２２には、現像ローラー８３および磁気ローラー８２を備えるタッチダウン現像方式が採用されている。現像装置１２２は、該現像装置１２２の内部空間を画定する現像ハウジング８０（ハウジング）を含む。この現像ハウジング８０には、所定の極性に帯電する非磁性体のトナーおよび磁性体のキャリアを含む現像剤を貯留する現像剤貯留部８１が備えられている。また、現像ハウジング８０の内部には、現像剤貯留部８１の上方に配置された磁気ローラー８２（現像剤担持体）と、磁気ローラー８２の斜め上方位置で磁気ローラー８２に対向配置された現像ローラー８３（トナー担持体）と、磁気ローラー８２に対向配置された現像剤規制ブレード８４（層厚規制部材）とが配設されている。また、現像装置１２２は、駆動部９６２と、現像バイアス印加部８８とを備える（図２）。
【００３６】
図２を参照して、現像剤貯留部８１は、現像装置１２２の長手方向に延びる２つの隣り合う第１現像剤貯留室８１ａ、第２現像剤貯留室８１ｂを含む。第２現像剤貯留室８１ｂは、磁気ローラー８２に対向して配置されている。第１現像剤貯留室８１ａ、第２現像剤貯留室８１ｂは、現像ハウジング８０に一体に形成され長手方向に延びる仕切り板８０１によって互いに仕切られているが、長手方向（軸方向）における両端部において一対の連通部（不図示）によって互いに連通されている。第１現像剤貯留室８１ａおよび第２現像剤貯留室８１ｂには、軸回りに回転することにより現像剤を攪拌及び搬送する第１スクリューフィーダー８５および第２スクリューフィーダー８６がそれぞれ収容されている。第１スクリューフィーダー８５および第２スクリューフィーダー８６は、駆動部９６２により回転駆動されるが、その回転方向が互いに逆方向に設定されている。これにより現像剤は、第１現像剤貯留室８１ａおよび第２現像剤貯留室８１ｂ間を、攪拌されつつ循環搬送される。この攪拌により、トナーとキャリアとが混合され、トナーが例えばプラスに帯電される。
【００３７】
磁気ローラー８２は、現像装置１２２の長手方向に沿って、現像ローラー８３に対向するように現像ハウジング８０に回転可能に支持されている。磁気ローラー８２は、図２では時計方向に回転駆動される。磁気ローラー８２の内部には、固定式の所謂磁石ロール（固定磁石、図示せず）が配置されている。磁石ロールは複数の磁極を有しており、本実施形態では汲上極８２１、規制極８２２及び主極８２３を有する。汲上極８２１は現像剤貯留部８１に対向し、規制極８２２は現像剤規制ブレード８４に対向し、主極８２３は現像ローラー８３に対向している。
【００３８】
磁気ローラー８２は、汲上極８２１の磁力によって現像剤貯留部８１から現像剤をその周面８２Ａ上に磁気的に汲み上げる（受け取る）。磁気ローラー８２は、周面８２Ａ上に、汲み上げられた現像剤を磁気的に現像剤層（磁気ブラシ層）として担持する。そして、磁気ローラー８２は、現像ローラー８３にトナーを供給する。磁気ローラー８２の回転に伴って、前記現像剤は現像剤規制ブレード８４に向けて搬送される。
【００３９】
現像剤規制ブレード８４は、磁気ローラー８２の回転方向から見て現像ローラー８３よりも上流側において磁気ローラー８２の周面８２Ａに対向して配置される。本実施形態では、現像剤規制ブレード８４は、磁気ローラー８２に向かってやや先上がりに、略水平方向に沿って延設されている。現像剤規制ブレード８４は、磁気ローラー８２の周面８２Ａに磁気的に付着した現像剤の層厚を規制する。現像剤規制ブレード８４は、磁気ローラー８２の周面８２Ａとの間で所定の寸法の規制ギャップＧを形成する。これにより、周面８２Ａ上には所定厚さの均一な現像剤層が形成される。
【００４０】
現像ローラー８３は、現像装置１２２の長手方向に沿って、且つ、磁気ローラー８２に対して平行に延びるように配設されており、図２では時計方向に回転駆動される。現像ローラー８３は、感光体ドラム１２１に対向して配置される。現像ローラー８３は、円筒形状からなり、軸回りに回転可能に現像ハウジング８０に支持されている。現像ローラー８３は、磁気ローラー８２の周面８２Ａ上に保持された現像剤層に接触した状態で回転しつつ、前記現像剤層からトナーを受け取ってトナー層を担持する周面８３Ａを有する。現像動作が行なわれる現像時には、現像ローラー８３は、前記トナー層のトナーを感光体ドラム１２１の周面に供給する。本実施形態では、現像ローラー８３は、円筒状のスリーブ８３０（基材）と、スリーブ８３０の表面に形成された樹脂コート（表面層）と、を備えるローラーである（図３（Ｂ））。現像ローラー８３の周面８３Ａと磁気ローラー８２の周面８２Ａとの間には、所定の寸法の隙間Ｓ（図２）が形成されている。隙間Ｓは例えば０．３ｍｍに設定されている。現像ローラー８３は、現像ハウジング８０に形成された開口を通して感光体ドラム１２１に臨むように配置され、周面８３Ａと感光体ドラム１２１の周面との間にも所定の寸法の隙間が形成されている。本実施形態では、前記隙間は０．１２ｍｍに設定されている。
【００４１】
現像バイアス印加部８８は、現像動作時に、磁気ローラー８２および現像ローラー８３に直流電圧に交流電圧が重畳された現像バイアスを印加する。感光体ドラム１２１と現像ローラー８３との間、また、現像ローラー８３と磁気ローラー８２との間には、高い交流電圧が印加される。特に、磁気ローラー８２から現像ローラー８３にトナーが供給され、更に、現像ローラー８３から感光体ドラム１２１にトナーが供給されるため、公知の一成分および二成分現像装置と比較して、トナーの移動のために、現像ローラー８３には高い交流電圧が印加される。
【００４２】
図３（Ａ）を参照して、本実施形態では、感光体ドラム１２１の軸方向の長さが、現像ローラー８３の軸方向の長さよりも大きく設定されている。このため、現像ローラー８３の軸方向の両端部は、感光体ドラム１２１の軸方向の両端部よりも内側の領域Ｌにおいて感光体ドラム１２１に対向する。なお、現像ローラー８３の軸方向の両端部には不図示のトラッキングローラーが固定されている。トラッキングローラーは、感光体ドラム１２１の両端部に当接することで、現像ローラー８３と感光体ドラム１２１との間のギャップを規制する。また、現像ハウジング８０は、感光体ドラム１２１に向かって不図示の付勢ばねで付勢されている。この結果、現像ローラー８３と感光体ドラム１２１との間のギャップがより安定して維持される。
【００４３】
図３（Ｂ）を参照して、現像ローラー８３のスリーブ８３０は、アルミニウムからなる。現像ローラー８３のコート層８３Ｃは、以下の浸漬法によって形成される。まず、スリーブ８３０の外周面にアルマイト処理が施され、厚さ１０μｍのアルマイト層（酸化層）が形成される。アルミニウムからなるスリーブ８３０の上に酸化層が形成されることで、コート層８３Ｃの基材に対する付着力が増大される。この結果、コート層８３Ｃの剥離が抑制される。その後、スリーブ８３０の表面、すなわち、アルマイト層の表面が１２０℃で１０分以上熱処理される。この熱処理は、コート層８３Ｃの乾燥工程においてクラックが生じることを抑止するため、予めスリーブ８３０にクラックを意図的に生じさせるために行われる。前記熱処理の時間は予め定められており、例えば、前記乾燥工程に要する時間以上に定められている。前記熱処理は、常に一定の温度で一定の時間だけ行われる。これにより、前記熱処理が行われる全てのスリーブ８３０に対して概ね定量のクラックが生じる。前記熱処理の後にアルマイト層上にコート層８３Ｃを形成する処理が行われる。具体的には、結着樹脂としてのアルコール可溶性のナイロン樹脂、導電剤として酸化チタン、および分散媒体としてのメタノール８００（重量部）が、直径１．０ｍｍのジルコニアビーズとともにボールミルで約４８時間混合され混合液が準備される。その混合液にアルマイト処理されたスリーブ８３０を所定時間浸漬させた後に引き上げ、１３０℃の高温環境の下で１０分間乾燥させる。なお、スリーブ８３０は、円筒形状の軸方向が鉛直方向に沿うように、混合液の中に浸漬され、引き上げられる。この結果、厚み２μｍ〜１１μｍのコート層８３Ｃがコーティングされたスリーブ８３０が製作される。このように、コート層８３Ｃがコーティングされる前に、予め熱処理によってアルマイト層にクラックが生成される。このため、コート層８３Ｃに含有されている導電剤が、コート層８３Ｃの乾燥時にコート層８３Ｃの内部に発生する対流の影響で偏在することが防止される。この結果、導電材が均一に分散したコート層８３Ｃを形成することが可能になる。
【００４４】
一方、上記のような浸漬法によってコート層８３Ｃが形成される場合、スリーブ８３０の表面に付着した混合液は、引き上げ時の重力の影響によって下方に垂れ下がりやすい。このため、浸漬時に下端側に位置するスリーブ８３０の表面には、軸方向の中央部と比較して部分的に厚いコート層８３Ｃが形成される。特に、スリーブ８３０の下端部には、部分的に、コート層８３Ｃの厚さが増した溜り部８３Ｃ１が形成されやすい。また、浸漬時に上端側に位置するスリーブ８３０の表面には、軸方向の中央部と比較して部分的に薄いコート層８３Ｃである薄層部８３Ｃ２（図８参照）が形成される。
【００４５】
図４（Ａ）は、スリーブ８３０に形成されたコート層８３Ｃの浸漬時の下端側の膜厚の分布を示している。一方、図４（Ｂ）は、スリーブ８３０に形成されたコート層８３Ｃの浸漬時の上端側の膜厚の分布を示している。いずれも、横軸は、スリーブ８３０の端部からの距離を示し、縦軸は、軸方向におけるそれぞれの位置に応じた膜厚を、コート層８３Ｃの平均膜厚に対する差分として示している。図４（Ａ）、（Ｂ）に示すように、コート層８３Ｃのうち上端部の薄い部分の長さは、下端部の厚い部分の長さよりも長い。また、コート層８３Ｃの上端部の最大膜厚減少分（３μｍ）は、下端部の最大膜厚上昇分（３．５μｍ）に近似した値となっている。
【００４６】
図５は、本実施形態に係る現像装置１２２において、現像ローラー８３が正回転される様子を示した模式的な背面図（Ａ）、および、現像ローラー８３が逆回転される様子を示した模式的な背面図（Ｂ）である。また、図６は、現像装置１２２において、現像ローラー８３が正回転される様子を示した模式的な側面図である。
【００４７】
現像ローラー８３、磁気ローラー８２、第１スクリューフィーダー８５および第２スクリューフィーダー８６は、駆動部９６２によって同期して回転駆動される。図５および図６に示すように、現像ローラー８３の後端部には、ローラーギア８３Ｇ（駆動伝達部、第１斜歯ギア）が固定されている。ローラーギア８３Ｇは、現像ローラー８３に回転駆動力を伝達する。本実施形態では、ローラーギア８３Ｇは、軸方向に対して所定の角度をもって傾斜したギア歯を備える斜歯ギアである。
【００４８】
磁気ローラー８２の後端部には、入力ギア８２Ｇが固定されている。入力ギア８２Ｇは、磁気ローラー８２に回転駆動力を伝達する。更に、入力ギア８２Ｇとローラーギア８３Ｇとの間には、アイドルギア８０Ｇ（第２斜歯ギア）が連結されている。アイドルギア８０Ｇは、ローラーギア８３Ｇと噛み合うように現像ハウジング８０に回転可能に支持され、ローラーギア８３Ｇに回転駆動力を伝達する。
【００４９】
駆動部９６２は、回転駆動力を発生するモーターであり、現像装置１２２の各ローラーを回転させる回転駆動力を発生する。駆動部９６２は、不図示の制御部によって正逆回転可能とされる。本実施形態では、駆動伝達経路において入力ギア８２Ｇが最も上流側に配置される。すなわち、現像装置１２２が画像形成装置１に装着されると、入力ギア８２Ｇが駆動部９６２に連結される。また、入力ギア８２Ｇには、不図示のスクリューギアが連結されている。入力ギア８２Ｇが回転されると、前記スクリューギアを介して第２スクリューフィーダー８６および第１スクリューフィーダー８５が回転する。なお、アイドルギア８０Ｇは、入力ギア８２Ｇを介して駆動部９６２に連結されている。
【００５０】
図５（Ａ）を参照して、現像ローラー８３によって感光体ドラム１２１上の静電潜像が現像される現像動作時には、不図示の制御部によって駆動部９６２が正方向に回転される。この時、入力ギア８２Ｇが図５（Ａ）において矢印に示すように反時計回りに回転される。同時に、磁気ローラー８２も反時計回りに回転される。この際、図２では、磁気ローラー８２は、現像剤規制ブレード８４に対向する領域を下方から上方に向かって回転する。図５（Ａ）に戻って、入力ギア８２Ｇの回転に伴って、アイドルギア８０Ｇが時計回りに回転する（図６の矢印Ｄ６１）と、アイドルギア８０Ｇとローラーギア８３Ｇとの噛み合いによって、ローラーギア８３Ｇが図５（Ａ）において反時計回りに回転される（図６の矢印Ｄ６２）。この結果、現像ローラー８３が矢印に示すように反時計回り（第１回転方向）に回転される（図６の矢印Ｄ６３）。そして、現像バイアス印加部８８（図２）によって印加された現像バイアスによって、現像ローラー８３から感光体ドラム１２１にトナーが供給される。なお、本実施形態では、現像ローラー８３が図５（Ａ）に示す第１回転方向に回転されると、ローラーギア８３Ｇとアイドルギア８０Ｇとの噛み合いによって、感光体ドラム１２１に向かう押圧力が現像ローラー８３に付与される（図５（Ａ）の矢印ＤＡ）。また、ローラーギア８３Ｇとアイドルギア８０Ｇとの噛み合いによって、現像ローラー８３には、図６の矢印Ｄ６４で示すようなスラスト力が付与される。この際、スラスト力は、ローラーギア８３Ｇが固定される現像ローラー８３の後端側からローラーギア８３Ｇとは反対の前端側に向かって付与される。
【００５１】
一方、不図示の制御部は、現像動作時とは異なる時に、駆動部９６２を逆回転させる。本実施形態では、図２に示すように、現像動作時に現像剤規制ブレード８４の上面部にトナーが堆積する場合がある（トナー溜りＴＰ）。堆積したトナーの電荷は不安定なため、これらのトナーが誤って現像ローラー８３に供給された場合には色点などの画像欠陥が生じてしまう。このため、制御部は、画像形成動作が終了した際などに、現像装置１２２の逆回転動作を実行する。
【００５２】
詳しくは、図５（Ｂ）を参照して、現像装置１２２の逆回転動作時には、不図示の制御部によって駆動部９６２が逆方向に回転される。この時、入力ギア８２Ｇが図５（Ｂ）において矢印に示すように時計回りに回転される。同時に、磁気ローラー８２も時計回りに回転される。この際、図２では、磁気ローラー８２は、現像剤規制ブレード８４に対向する領域を上方から下方に向かって回転する。このため、現像剤規制ブレード８４上に堆積したトナーが磁気ローラー８２上の磁気ブラシによって回収され、色点などの画質欠陥が防止される。図５（Ｂ）に戻って、入力ギア８２Ｇの回転に伴って、アイドルギア８０Ｇが反時計回りに回転すると、アイドルギア８０Ｇとローラーギア８３Ｇとの噛み合いによって、ローラーギア８３Ｇが時計回りに回転される。この結果、現像ローラー８３が矢印に示すように時計回り（第１回転方向とは反対の第２回転方向）に回転される。なお、本実施形態では、現像ローラー８３が図５（Ｂ）に示す第２回転方向に回転されると、ローラーギア８３Ｇとアイドルギア８０Ｇとの噛み合いによって、感光体ドラム１２１とは逆方向に向かう押圧力が現像ローラー８３に付与される（図５（Ｂ）の矢印ＤＢ）。
【００５３】
現像装置１２２は、更にトナーシール８９（シール部材）を備える。図７は、本実施形態に係る現像装置１２２のトナーシール８９の配置を示す模式的な断面図である。図８は、現像装置１２２のトナーシール８９の配置を示す模式的な上面図である。トナーシール８９は、現像ハウジング８０の前後方向の両端部に一対配置されるスポンジ材である。トナーシール８９は、前側シール８９Ｆと後側シール８９Ｒとからなる（図８）。一対のトナーシール８９は、現像ローラー８３の周面（コート層８３Ｃ）のうち軸方向の両端部に当接するように配置され、現像ハウジング８０から現像剤が漏れることを防止する。図７に示すように、トナーシール８９は、感光体ドラム１２１とは反対側で現像ローラー８３に当接する円弧形状からなる。より詳しくは、現像ハウジング８０は、支持部８０Ｕ（図７、図８）を備える。支持部８０Ｕは、現像ローラー８３の両端部に対向して、現像ハウジング８０に形成された一対の円弧状の壁部である。そして、トナーシール８９は、支持部８０Ｕと現像ローラー８３との間に介在するように、支持部８０Ｕに接着固定されている。
【００５４】
図８では、現像ローラー８３上のコート層８３Ｃの分布が誇張して図示されている。前述のように、本実施形態では、現像ローラー８３の軸方向が鉛直方向に沿うように、スリーブ８３０が所定の浸漬槽に浸漬される浸漬法によってコート層８３Ｃが形成される。そして、現像ローラー８３の浸漬時の下端側（溜り部８３Ｃ１）が、ローラーギア８３Ｇとは反対の前端側となるように、現像ローラー８３が現像ハウジング８０に装着されている。
【００５５】
現像ローラー８３の後端側では、入力ギア８２Ｇからローラーギア８３Ｇに回転駆動力が伝達される際に、両者のギア歯の噛み合いによって、現像ローラー８３が感光体ドラム１２１側に向かって押圧される。このため、現像ローラー８３の後端側部分と感光体ドラム１２１との間のギャップは、前述のトラッキングローラーによって、安定して維持される。一方、現像ローラー８３の前端側では、上記のような入力ギア８２Ｇとローラーギア８３Ｇとの噛み合いによる押圧力が強く付与されないため、現像ローラー８３の位置が安定しにくい。特に、現像ローラー８３には、所定の公差範囲において外周触れや偏芯が存在するため、これらの影響によって、現像ローラー８３のコート層８３Ｃがトナーシール８９Ｆに強く摺擦し、摩耗しやすくなる。
【００５６】
本実施形態では、上記のように、現像ローラー８３の浸漬時の下端側（溜り部８３Ｃ１）が、現像装置１２２の前端側に配置されている。このため、現像ローラー８３の回転に伴って、コート層８３Ｃの溜り部８３Ｃ１が前側シール８９Ｆと強く摺擦した場合であっても、コート層８３Ｃが消失することが防止される。この結果、スリーブ８３０（図３（Ｂ））が露出し、現像ローラー８３と感光体ドラム１２１との間でリークが生じることが防止される。
【００５７】
更に、前述のように、現像装置１２２の逆回転動作時には、感光体ドラム１２１とは反対側、すなわち、トナーシール８９に向かう方向の押圧力が現像ローラー８３に付与される（図５（Ｂ）の矢印ＤＢ）。この際、現像ローラー８３の前端側では、コート層８３Ｃがより強く前側シール８９Ｆと摺擦する。このような場合であっても、本実施形態では、上記のように、トナーシール８９Ｆに対向して現像ローラー８３の溜り部８３Ｃ１が配置されている。このため、現像装置１２２の現像動作と逆回転動作とが繰り返される場合でも、コート層８３Ｃの前端側が消失することが防止される。
【００５８】
また、図６の矢印Ｄ６４で示すように、アイドルギア８０Ｇとローラーギア８３Ｇとの噛み合いによって、現像ローラー８３には前方向に向かうスラスト力が付与される。この場合、コート層８３Ｃの溜り部８３Ｃ１が前側シール８９Ｆに当接している。このため、現像ローラー８３のスラスト移動に伴って、前側シール８９Ｆよりも前方に現像剤がこぼれる出すことが防止される。
【００５９】
以上、本発明の実施形態に係る現像装置１２２および画像形成装置１について説明したが、本発明はこれに限定されるものではなく、例えば次のような変形実施形態を採用することができる。
【００６０】
（１）上記の実施形態では、画像形成装置１としてフルカラー機を用いて説明したが、本発明はこれに限定されるものではない。画像形成装置１は、白黒画像を印刷するモノクロ機であってもよい。
【００６１】
（２）上記の実施形態では、現像装置１２２において現像動作に加え、逆回転動作が実行される態様にて説明したが、本発明はこれに限定されるものではない。現像装置１２２において現像動作だけが実行される場合であっても、現像ローラー８３の偏芯回転に伴う、コート層８３Ｃの摩耗および消失が防止される。
【実施例】
【００６２】
次に、現像装置１２２における現像ローラー８３の好ましい態様について、実施例をもとに説明する。なお、以後の各実施例は、下記の実験条件にて行った。
＜実験条件について＞
・プリント速度：３０枚／分
・感光体ドラム１２１：ＯＰＣドラム
・感光体ドラム１２１の周速度：１８０ｍｍ／ｓｅｃ
・現像ローラー８３：直径２０ｍｍのスリーブ８３０にアルマイト表面処理＋ナイロン樹脂コート（平均厚さ５μｍ）
・現像ローラー８３の周速度：感光体ドラム１２１に対して周速比１．５（ウィズ回転）
・磁気ローラー８２の周速度：現像ローラー８３に対して周速比１．１（カウンター回転）
・感光体ドラム１２１と現像ローラー８３とのギャップ：０．１２ｍｍ
・磁気ローラー８２と現像ローラー８３とのギャップ：０．３ｍｍ
・感光体ドラム３１の表面電位：＋４３０Ｖ（背景部）、＋１００Ｖ（画像部）
・現像ローラー８３に印加される現像バイアス：交流電圧の周波数３．７ｋＨｚ、Ｄｕｔｙ２７％、Ｖｐｐ１５００Ｖ、直流電圧１９０Ｖ
・磁気ローラー８２に印加される現像バイアス：交流電圧の周波数３．７ｋＨｚ、Ｄｕｔｙ７３％、Ｖｐｐ６５０Ｖ、直流電圧４９０Ｖ
・トナーの平均粒径：６．８μｍ（正帯電性）
・トナーシール８９：軸方向幅１０ｍｍ、周方向長さ２０ｍｍ、厚さ１ｍｍのスポンジシール
・トナーシール８９の圧縮量：現像ローラー８３の正回転時における溜り部８３Ｃ１による圧縮量は０．４ｍｍ、現像ローラー８３の逆回転時における溜り部８３Ｃ１による圧縮量は０．７ｍｍ
・現像装置１２２の逆回転動作条件：印刷枚数１００枚につき１回実施。現像動作時の２分の１の回転速度で各ローラーを１秒間反回転させる。
【００６３】
表１では、実施例として、上記の実施形態のように、現像ローラー８３の浸漬時の下端側が現像装置１２２の前端側（ローラーギア８３Ｇとは反対側）に配置された結果が示されている。表２では、比較例として、現像ローラー８３の浸漬時の下端側が現像装置１２２の後端側（ローラーギア８３Ｇ側）に配置された結果が示されている。表１および表２では、それぞれの現像ローラーのコート層の膜厚の推移が示される。
【００６４】
【表１】
2016004198.tif 000003
【００６５】
【表２】
2016004198.tif 000004
【００６６】
表１に示すように、実施例では、ローラーギア８３Ｇとは反対の反駆動側に現像ローラー８３の浸漬時の下端側（初期膜厚１０μｍ）が配置されることによって、５００Ｋ枚の印刷終了時点で、コート層８３Ｃの膜厚が２μｍを下回っていない。この結果、安定した画像が維持された。一方、表２に示すように、比較例では、ローラーギア８３Ｇとは反対の反駆動側に現像ローラー８３の浸漬時の上端側（初期膜厚５μｍ）が配置されることによって、コート層８３Ｃが薄層化し、３００Ｋ枚においてコート層が消失する結果となった。そして、以降の印刷においてリークによる画像欠陥が生じる結果となった。
【符号の説明】
【００６７】
１  画像形成装置
１１  装置本体
１２  画像形成部
１２１  感光体ドラム（像担持体）
１２２  現像装置
８０  現像ハウジング（ハウジング）
８０Ｇ  アイドルギア（第２斜歯ギア）
８１  現像剤貯留部
８２  磁気ローラー（現像剤担持体）
８２Ｇ  入力ギア
８３  現像ローラー（トナー担持体）
８３Ｇ  ローラーギア（駆動伝達部、第１斜歯ギア）
８３０  スリーブ（基材）
８３Ｃ  コート層（表面層）
８３Ｃ１  溜り部
８３Ｃ２  薄層部
８４  現像剤規制ブレード（層厚規制部材）
８９  トナーシール（シール部材）
９６２  駆動部
【図１】
2016004198.tif 000005
【図２】
2016004198.tif 000006
【図３】
2016004198.tif 000007
【図４】
2016004198.tif 000008
【図５】
2016004198.tif 000009
【図６】
2016004198.tif 000010
【図７】
2016004198.tif 000011
【図８】
2016004198.tif 000012